(57)【要約】【課題】本発明は、クレンジングパッドに関し、詳細には、全体として、乳児のケア、化粧品の除去、及び皮膚のクレンジングの用途用の湿潤させた脱脂綿クレンジングパッドを提供する。【解決手段】脱脂綿クレンジングパッド（１）は、クレンジング液体等を含ませた、乾燥重量が５０ｇ／ｍ2 乃至４００ｇ／ｍ2 の範囲のヒドロエンタングルド綿材料でできたパネル（２）を含む。好ましくは、多くのパッド（１）が、引き裂きリンクによって縁部と縁部とが接合された相互連結されたパッド（１）の相互連結ストリップをなして形成され、取り出しパックに取り付けられる。【選択図】図１【特許請求の範囲】
【請求項１】
クレンジング液体を含ませた、乾燥重量が５０ｇ／ｍ2 乃至４００ｇ／ｍ2 の範囲のヒドロエンタングルド綿材料でできたパネル（２）を含む、脱脂綿クレンジングパッド（１）。
【請求項２】
請求項１に記載の脱脂綿クレンジングパッド（１）において、前記ヒドロエンタングルド綿材料でできたパネル（２）は、１００ｇ／ｍ2 乃至３００ｇ／ｍ2 の範囲の乾燥重量を有する、脱脂綿クレンジングパッド（１）。
【請求項３】
請求項２に記載の脱脂綿クレンジングパッド（１）において、前記ヒドロエンタングルド綿材料でできたパネル（２）は、２００ｇ／ｍ2 乃至３００ｇ／ｍ2 の範囲の乾燥重量を有する、脱脂綿クレンジングパッド（１）。
【請求項４】
請求項３に記載の脱脂綿クレンジングパッド（１）において、前記ヒドロエンタングルド綿材料でできたパネル（２）は、２００ｇ／ｍ2 乃至２５０ｇ／ｍ2 の範囲の乾燥重量を有する、脱脂綿クレンジングパッド（１）。
【請求項５】
引き裂きリンク（４）によって縁部と縁部とが互いに接合された、請求項１乃至４のうちのいずれか一項に記載の相互連結された複数の脱脂綿クレンジングパッド（１）を含むクレンジングストリップ。
【請求項６】
請求項５に記載のクレンジングストリップにおいて、ジグザク形態のスタック（５）をなして配置されており、このスタックは、使用のためにクレンジングパッド（１）が通過する取り出し開口部（１１）を持つパック（１０）内に収容される、クレンジングストリップ。
【請求項７】
請求項５に記載のクレンジングストリップにおいて、ロール（２０）をなして配置されており、このロール（２０）は、使用のためにクレンジングパッド（１）が通過する取り出し開口部（１１）を持つパック（１０）内に収容される、クレンジングストリップ。
【請求項８】
請求項１乃至７のうちのいずれか一項に記載のクレンジングパッド又はクレンジングパッドのストリップを形成するための方法において、
綿材料にカーディングを施し、カーデッド綿材料のウェブを形成する工程と、
カーデッド綿材料のウェブをヒドロエンタングリングステーションに送出し、所望のヒドロエンタングリング圧力でカーデッド綿材料のウェブの積層及びヒドロエンタングリングを行い、所望強度のヒドロエンタングルド綿ウェブを形成する工程と、
ヒドロエンタングルド綿ウェブから余分の水分を除去する工程と、
ヒドロエンタングルド綿ウェブにクレンジング液体を含浸する工程と、
含浸させたヒドロエンタングルド脱脂綿ウェブからパッド又はパッドのストリップを形成する工程とを含む、方法。
【請求項９】
請求項１乃至８のうちのいずれか一項に記載の脱脂綿クレンジングパッドのパックを形成する方法において、
相互連結された複数のクレンジングパッドを持つ細長いストリップを形成する工程と、
クレンジングパッドのストリップをクレンジング液体で湿潤する工程と、
クレンジングパッドをジグザク形態で積み重ねる工程と、
クレンジングパッドのスタックを密封パック内に封入する工程とを含む、方法。
【請求項１０】
請求項９に記載の方法において、脱脂綿クレンジングパッドの湿潤中、クレンジングパッドを過度に湿潤した後、クレンジングパッドのストリップから余分の水分を絞り出す、方法。
【請求項１１】
請求項９に記載の方法において、綿材料をヒドロエンタングリングしてクレンジングパッドを形成した後、クレンジングパッドを液体浴を通して送出し、綿材料をクレンジング材料で含浸する工程を含む、方法。
【請求項１２】
請求項９に記載の方法において、
相互連結された複数の脱脂綿クレンジングパッドを含む、ミシン目が設けられた細長いストリップを形成する工程と、
脱脂綿クレンジングパッドをジグザク形態で積み重ねる工程と、
脱脂綿クレンジングパッドのスタックをクレンジング液体で湿潤する工程と、
湿潤させた脱脂綿クレンジングパッドのスタックを密封パックに収容する工程とを含む、方法。
【請求項１３】
請求項８に記載の方法において、クレンジングパッドのストリップをロールに形成する工程を含む、方法。
【請求項１４】
脱脂綿クレンジングパッドにおいて、乾燥重量が１００ｇ／ｍ2 乃至３００ｇ／ｍ2 の範囲のヒドロエンタングルド綿材料でできた、クレンジング液体を含浸したパネルを含む、脱脂綿クレンジングパッド。
【請求項１５】
脱脂綿クレンジングパッドにおいて、乾燥重量が２００ｇ／ｍ2 乃至３００ｇ／ｍ2 の範囲のヒドロエンタングルド綿材料でできた、クレンジング液体を含浸したパネルを含む、脱脂綿クレンジングパッド。
【請求項１６】
脱脂綿クレンジングパッドにおいて、乾燥重量が２００ｇ／ｍ2 乃至２５０ｇ／ｍ2 の範囲のヒドロエンタングルド綿材料でできた、クレンジング液体を含浸したパネルを含む、脱脂綿クレンジングパッド。
【請求項１７】
クレンジングストリップにおいて、引き裂きリンクによって縁部と縁部とが互いに接合された相互連結した複数の脱脂綿クレンジングパッドを含み、各クレンジングパッドは、乾燥重量が５０ｇ／ｍ2 乃至４００ｇ／ｍ2 の範囲のヒドロエンタングルド綿材料でできた、クレンジング液体を含浸したパネルを含む、クレンジングストリップ。
【請求項１８】
クレンジングストリップにおいて、引き裂きリンクによって縁部と縁部とが互いに接合された相互連結した複数の脱脂綿クレンジングパッドを含み、各パッドは、乾燥重量が１００ｇ／ｍ2 乃至３００ｇ／ｍ2 の範囲のヒドロエンタングルド綿材料でできた、クレンジング液体を含浸したパネルを含む、クレンジングストリップ。
【請求項１９】
クレンジングストリップにおいて、引き裂きリンクによって縁部と縁部とが互いに接合された相互連結した複数の脱脂綿クレンジングパッドを含み、各クレンジングパッドは、乾燥重量が２００ｇ／ｍ2 乃至３００ｇ／ｍ2 の範囲のヒドロエンタングルド綿材料でできた、クレンジング液体を含浸したパネルを含む、クレンジングストリップ。
【請求項２０】
クレンジングストリップにおいて、引き裂きリンクによって縁部と縁部とが互いに接合された相互連結した複数の脱脂綿クレンジングパッドを含み、各クレンジングパッドは、乾燥重量が５０ｇ／ｍ2 乃至４００ｇ／ｍ2 の範囲のヒドロエンタングルド綿材料でできた、クレンジング液体を含浸したパネルを含み、前記クレンジングストリップはジグザグ形態のスタックをなして配置され、前記スタックは、使用時にクレンジングパッドが通過する取り出し開口部を持つパック内に収容される、クレンジングストリップ。
【請求項２１】
クレンジングストリップにおいて、引き裂きリンクによって縁部と縁部とが互いに接合された相互連結した複数の脱脂綿クレンジングパッドを含み、各クレンジングパッドは、乾燥重量が２００ｇ／ｍ2 乃至３００ｇ／ｍ2 の範囲のヒドロエンタングルド綿材料でできた、クレンジング液体を含浸したパネルを含み、前記クレンジングストリップはジグザグ形態のスタックをなして配置され、前記スタックは、使用時にクレンジングパッドが通過する取り出し開口部を持つパック内に収容される、クレンジングストリップ。
【請求項２２】
クレンジングストリップにおいて、引き裂きリンクによって縁部と縁部とが互いに接合された相互連結した複数の脱脂綿クレンジングパッドを含み、各クレンジングパッドは、乾燥重量が５０ｇ／ｍ2 乃至４００ｇ／ｍ2 の範囲のヒドロエンタングルド綿材料でできた、クレンジング液体を含浸したパネルを含み、前記クレンジングストリップはロールをなして配置され、このロールは、使用するためにクレンジングパッドが通過する取り出し開口部を持つパック内に収容される、クレンジングストリップ。
【請求項２３】
クレンジングストリップにおいて、引き裂きリンクによって縁部と縁部とが互いに接合された相互連結した複数の脱脂綿クレンジングパッドを含み、各クレンジングパッドは、乾燥重量が２００ｇ／ｍ2 乃至３００ｇ／ｍ2 の範囲のヒドロエンタングルド綿材料でできた、クレンジング液体を含浸したパネルを含み、前記クレンジングストリップはロールをなして配置され、このロールは、使用するためにクレンジングパッドが通過する取り出し開口部を持つパック内に収容される、クレンジングストリップ。
【請求項２４】
請求項１乃至２３のうちのいずれか一項に記載のクレンジングパッド又はクレンジングパッドのストリップを形成するための方法において、
綿材料にカーディングを施し、乾燥重量が５０ｇ／ｍ2 乃至４００ｇ／ｍ2 の範囲のカーデッド綿材料のウェブを形成する工程と、
カーデッド綿材料のウェブをヒドロエンタングリングステーションに送出し、所望のヒドロエンタングリング圧力でカーデッド綿材料のウェブの積層及びヒドロエンタングリングを行い、所望強度のヒドロエンタングルド綿ウェブを形成する工程と、
ヒドロエンタングルド綿ウェブから余分の水分を除去する工程と、
ヒドロエンタングルド綿ウェブにクレンジング液体を含浸する工程と、
含浸させたヒドロエンタングルド脱脂綿ウェブからパッド又はパッドのストリップを形成する工程とを含む、方法。
【請求項２５】
請求項１乃至２４のうちのいずれか一項に記載のクレンジングパッド又はクレンジングパッドのストリップを形成するための方法において、
綿材料にカーディングを施し、乾燥重量が２００ｇ／ｍ2 乃至３００ｇ／ｍ2 の範囲のカーデッド綿材料のウェブを形成する工程と、
カーデッド綿材料のウェブをヒドロエンタングリングステーションに送出し、所望のヒドロエンタングリング圧力でカーデッド綿材料のウェブの積層及びヒドロエンタングリングを行い、所望強度のヒドロエンタングルド綿ウェブを形成する工程と、
ヒドロエンタングルド綿ウェブから余分の水分を除去する工程と、
ヒドロエンタングルド綿ウェブにクレンジング液体を含浸する工程と、
含浸させたヒドロエンタングルド脱脂綿ウェブからパッド又はパッドのストリップを形成する工程とを含む、方法。
【請求項２６】
請求項１乃至２５のうちのいずれか一項に記載のクレンジングパッド又はクレンジングパッドのストリップを形成するための方法において、
綿材料にカーディングを施し、乾燥重量が５０ｇ／ｍ2 乃至４００ｇ／ｍ2 の範囲のカーデッド綿材料のウェブを形成する工程と、
カーデッド綿材料のウェブをヒドロエンタングリングステーションに送出し、所望のヒドロエンタングリング圧力でカーデッド綿材料のウェブの積層及びヒドロエンタングリングを行い、所望強度のヒドロエンタングルド綿ウェブを形成する工程と、
ヒドロエンタングルド綿ウェブから余分の水分を除去する工程と、
ヒドロエンタングルド綿ウェブにクレンジング液体を含浸する工程と、
含浸させたヒドロエンタングルド脱脂綿ウェブからパッド又はパッドのストリップを形成する工程と、
クレンジングストリップのパッドをジグザグ形態のスタックをなして配置する工程とを含む、方法。
【請求項２７】
請求項１乃至２６のうちのいずれか一項に記載のクレンジングパッド又はクレンジングパッドのストリップを形成するための方法において、
綿材料にカーディングを施し、乾燥重量が５０ｇ／ｍ2 乃至４００ｇ／ｍ2 の範囲のカーデッド綿材料のウェブを形成する工程と、
カーデッド綿材料のウェブをヒドロエンタングリングステーションに送出し、所望のヒドロエンタングリング圧力でカーデッド綿材料のウェブの積層及びヒドロエンタングリングを行い、所望強度のヒドロエンタングルド綿ウェブを形成する工程と、
ヒドロエンタングルド綿ウェブから余分の水分を除去する工程と、
ヒドロエンタングルド綿ウェブにクレンジング液体を含浸する工程と、
含浸させたヒドロエンタングルド脱脂綿ウェブからパッド又はパッドのストリップを形成する工程と、
クレンジングストリップのパッドをロールをなして配置する工程とを含む、方法。
【請求項２８】
請求項１乃至２７のうちのいずれか一項に記載のクレンジングパッド又はクレンジングパッドのストリップを形成するための方法において、
綿材料にカーディングを施し、乾燥重量が５０ｇ／ｍ2 乃至４００ｇ／ｍ2 の範囲のカーデッド綿材料のウェブを形成する工程と、
カーデッド綿材料のウェブをヒドロエンタングリングステーションに送出し、所望のヒドロエンタングリング圧力でカーデッド綿材料のウェブの積層及びヒドロエンタングリングを行い、所望強度のヒドロエンタングルド綿ウェブを形成する工程と、
ヒドロエンタングルド綿ウェブから余分の水分を除去する工程と、
ヒドロエンタングルド綿ウェブにクレンジング液体を含浸する工程と、
含浸させたヒドロエンタングルド脱脂綿ウェブからパッド又はパッドのストリップを形成する工程と、
パッドのストリップを使用するためにクレンジングパッドが通過する取り出し開口部を持つパック内に取り付ける工程とを含む、方法。
【発明の詳細な説明】
【技術分野】
【０００１】
本発明はクレンジングパッドに関し、詳細には、全体として、乳児のケア、化粧品の除去、及び皮膚のクレンジングの用途用の湿潤させた脱脂綿クレンジングパッドに関する。
【背景技術】
【０００２】
本出願人の従来の出願である欧州特許公開第ＥＰ  ０９７０６７４号には、一塊の吸収体綿繊維を多孔質層綿材料製の２枚の外パネル間に挟んだメーキャップ除去パッドが開示されている。更に、米国特許第４，７６２，１２４号には、液体で含浸した透過性の膜を備えたパッドを、このパッドを密封する引き剥がしカバーシートで覆った液体分配袋が開示されている。カバーシートは使用前に除去する。脱脂綿は、乳児のケア及び化粧品の適用で使用する上で望ましい特徴を備えているけれども、湿潤させたときに容易に分解する傾向がある欠点がある。
【特許文献１】欧州特許公開第ＥＰ  ０９７０６７４号
【特許文献２】米国特許第４，７６２，１２４号
【発明の開示】
【発明が解決しようとする課題】
【０００３】
本発明の目的は、構造が簡単であり、丈夫であり、容易に且つ安価に製造できる湿潤させた脱脂綿クレンジングパッドを提供することである。
【課題を解決するための手段】
【０００４】
本発明によれば、クレンジング液体を含ませた、乾燥重量が５０ｇ／ｍ2 乃至４００ｇ／ｍ2 の範囲のヒドロエンタングルド綿材料でできたパネルを含む、脱脂綿クレンジングパッドが提供される。
【０００５】
別の実施例では、ヒドロエンタングル綿材料の乾燥重量は、１００ｇ／ｍ2 乃至３００ｇ／ｍ2 の範囲にある。更に別の実施例では、ヒドロエンタングルドパネルの乾燥重量は、１００ｇ／ｍ2 乃至３００ｇ／ｍ2 の範囲にある。別の実施例では、ヒドロエンタングルドパッドの乾燥重量の範囲は２００ｇ／ｍ2 乃至２５０ｇ／ｍ2 である。
【０００６】
有利には、本発明は、丈夫であり、製造及び使用が容易な簡単なクレンジングパッドを提供する。
【０００７】
綿材料を十分な圧力でヒドロエンタングルし、パッドが使用時に容易に分解しないようにするが、それにも拘わらず、脱脂綿で有名な柔らかさ、レジリエンス、及び圧縮性を保持する。このヒドロエンタングル圧力は、従来の綿パッドを製造するのに使用されたヒドロエンタングル圧力よりもかなり大きい。
【０００８】
多くの様々なクレンジング材料が可能である。例えば、クレンジング液体は、単なる殺菌した水であってもよく、又は殺菌消毒薬、乳児用ローション、香料、又は薬剤であってもよい。
【０００９】
任意の適当な大きさ及び形状の脱脂綿パッドが設けられていてもよいが、製造上の観点から見て矩形のパッドが最も便利であると考えられる。しかしながら、所望であれば、円形又は楕円形のパッドを提供してもよい。
【００１０】
本発明の別の特徴では、引き裂きリンクによって縁部と縁部とが互いに接合された相互連結された複数の湿潤脱脂綿クレンジングパッドを含むクレンジングストリップが提供される。
【００１１】
便利には、クレンジングストリップは、ディスペンサに取り付けるため、ジグザク形態のスタックをなして配置されていてもよい。代表的には、スタックは、使用のためにクレンジングパッドが通過する取り出し開口部を持つパック内に収容される。
【００１２】
別の実施例では、クレンジングストリップは、ディスペンサに取り付けるため、、ロールをなして配置される。便利には、このロールは、使用のためにクレンジングパッドが通過する取り出し開口部を持つパック内に収容される。
【００１３】
クレンジングパッドを相互連結することは、製造上の観点から有利であり、使用時にクレンジングパッドをパックから取り出すために、最も外側のクレンジングパッドを取り出すことによって、次のクレンジングパッドをいつでも取り出すことができるように取り出し開口部に置く。
【００１４】
別の実施例では、クレンジングパッド又はクレンジングパッドのストリップを形成するための方法において、
綿材料にカーディングを施し、カーデッド綿材料のウェブを形成する工程、
カーデッド綿材料のウェブをヒドロエンタングリングステーションに送出し、所望のヒドロエンタングリング圧力でカーデッド綿材料のウェブの積層及びヒドロエンタングリングを行い、所望強度のヒドロエンタングルド綿ウェブを形成する工程、
ヒドロエンタングルド綿ウェブから余分の水分を除去する工程、
ヒドロエンタングルド綿ウェブにクレンジング液体を含浸する工程、及び
含浸させたヒドロエンタングルド脱脂綿ウェブからパッド又はパッドのストリップを形成する工程を含む、方法が提供される。
【００１５】
別の実施例では、本発明は、本願に説明した、脱脂綿クレンジングパッドのパックを形成する方法において、
相互連結された複数のクレンジングパッドを持つ細長いストリップを形成する工程、
クレンジングパッドのストリップをクレンジング液体で湿潤する工程、
クレンジングパッドをジグザク形態で積み重ねる工程、及び
クレンジングパッドのスタックを密封パック内に封入する工程を含む、方法を提供する。
【００１６】
別の実施例では、この方法は、脱脂綿クレンジングパッドの湿潤中、クレンジングパッドを過度に湿潤した後、クレンジングパッドのストリップから余分の水分を絞り出す工程を含む。
【００１７】
別の実施例では、本発明の方法は、綿材料をクレンジング材料で含浸するため、クレンジングパッドを液体浴を通して送出する工程を含む。これは、便利には、綿材料のヒドロエンタングリング後、ヒドロエンタングリングプロセスの部分として実施できる。
【００１８】
別の実施例では、本願に説明した、脱脂綿クレンジングパッドのパックを形成するための方法において、
相互連結された複数の脱脂綿クレンジングパッドを含む、ミシン目が設けられた細長いストリップを形成する工程、
脱脂綿クレンジングパッドをジグザク形態で積み重ねる工程、
脱脂綿クレンジングパッドのスタックをクレンジング液体で湿潤する工程、及び
湿潤させた脱脂綿クレンジングパッドのスタックを密封パックに収容する工程を含む、方法が提供される。
【００１９】
本発明は、添付図面を参照して単なる例として与えられたその幾つかの実施例の以下の説明によって更に明瞭に理解されるであろう。
【発明を実施するための最良の形態】
【００２０】
先ず最初に添付図面のうちの図１及び図２を参照すると、これらの図には本発明によるクレンジングパッドが示してあり、その全体に参照番号１が付してある。クレンジングパッド１は、乾燥重量が１００ｇ／ｍ2 乃至３００ｍ2 のヒドロエンタングルド（ｈｙｄｒｏｅｎｔａｎｇｌｅｄ）綿材料でできた矩形のパネル２によって形成されている。前記パネル２には、例えば殺菌した水等のクレンジング液体が含浸してある。所望であれば、クレンジング液体には、石鹸、殺菌消毒薬、香料、又は他の液体又は皮膚のクレンジング又はトリートメントを行うための軟膏が含まれていてもよい。
【００２１】
パネル２の綿材料は、クレンジング液体で湿潤した場合でもクレンジングパッドがその一体性を保持するように十分な圧力でヒドロエンタングルドされているということに着目されたい。
【００２２】
特に図３及び図４を参照すると、好ましい構成では、複数のクレンジングパッド１が相互連結され、ミシン目線又は引き裂きリンク縁部４によって縁部と縁部とが互いに接合された隣接したパッド１を含むクレンジングパッド１のストリップを形成する。相互連結されたクレンジングパッド１は、便利には、図３に示すようにジグザグ形態のスタック５をなして配置でき、前記スタック５は、使用のためにクレンジングパッド１が通過する取り出し開口部１１を持つ密封パック１０内に配置される。代表的には、少なくとも取り出し開口部１１に亘って又は場合によっては蓋１７全体に亘って延びるようにカバー（図示せず）を設けてもよい。パック１０は、蓋パネル１７が接着されるフランジ状上リム１６で終端する起立した側壁１５を有する矩形のベース１４を有する。取り出し開口部１１は蓋パネル１７に設けられており、この開口部を通してパッド１を引っ張ったときにパッドをグリップし、密封を提供し、最も外側のパッド１を千切り離すのを容易にするように弾性であってもよい。
【００２３】
使用に当たっては、パッド１のスタック５を密封パック１０内に収容する。パック１０を開封したとき、第１クレンジングパッド１が取り出し開口部１１を通して引っ張られ、ストリップの残りから引き裂きリンク４に沿って図４に示すように千切り離される。次いで、クレンジングパッド１を従来の方法で使用し、必要に応じて乳児のケア又は化粧品の除去を行う。
【００２４】
クレンジングパッド１のスタック５の製造中、相互連結されたクレンジングパッド１でできた細長いストリップを所要の重量のヒドロエンタングルド綿材料で形成する。次いで、ストリップをクレンジング液体で濡らした後、ジグザク形態で積み重ねるか或いは別の態様では、クレンジングパッド１をジグザク形態で積み重ねた後、密封パック内に収容する前にクレンジング液体で濡らす。
【００２５】
ストリップをジグザクに折り畳む代わりにロール状にしてもよい。この構成を図５及び図６に示す。上文中に説明したのと同様の部分には同じ参照番号が付してある。この場合、パッド１のストリップを巻いてロール２０にする。図６は、先端パッド１が取り出し開口部１１を通して部分的に引き出してある、パック１０に取り付けられたロール２０を示す。
【００２６】
乳児ケア又は化粧品を適用するためのクレンジングパッド１を上文中に説明したけれども、適当なクレンジング液体又は洗剤が含ませてある場合には、パッド１は一般的なクリーニングの用途にも適用できる。
【００２７】
パッド又はパッドのストリップを湿潤させることは、製造プロセスの任意の適当な段階で行うことができるということは理解されよう。例えば、パッドのストリップの積み重ね又はロール化の前後いずれで湿潤を行ってもよい。便利には、湿潤は、綿材料のヒドロエンタングリング後、ヒドロエンタングリングプロセスの部分として行ってもよい。
【００２８】
本発明は、上文中に説明した実施例に限定されず、特許請求の範囲の範疇で構造及び詳細の両方を変化させてもよい。
【図面の簡単な説明】
【００２９】
【図１】本発明による脱脂綿クレンジングパッドの斜視図である。
【図２】図１に示す脱脂綿クレンジングパッドの端面図である。
【図３】連結された脱脂綿クレンジングパッドのスタックの斜視図である。
【符号の説明】
【００３０】
１  クレンジングパッド
２  矩形パネル
４  引き裂きリンク
５  ジグザグ形態のスタック
１０  密封パック
１１  開口部
１４  ベース
１５  側壁
１６  フランジ状上リム
１７  蓋
２０  ロール
【図１】
2007500532.tif 000002
【図２】
2007500532.tif 000003
【図３】
2007500532.tif 000004
【図４】
2007500532.tif 000005
【図５】
2007500532.tif 000006
【図６】
2007500532.tif 000007
【国際調査報告】
2007500532.tif 000008
2007500532.tif 000009
2007500532.tif 000010